(57)【要約】  【課題】  熱交換器固定板において、熱交換器の側面部から突出している伝熱管のヘアピン部を支持させるときの組立性を向上できるようにしたこと。  【解決手段】  伝熱管とフィンを有する熱交換器７の側面部をケーシング２に固定するための熱交換器固定板９に、フィンから突出している伝熱管のヘアピン部７ａａ〜７ｃｌの上側または下側を支持する支持部９ｃａ〜９ｅｋを備えるようにした。各支持部９ｃａ〜９ｅｋは伝熱管のヘアピン部７ａａ〜７ｃｌの上側または下側を支持するようにＵ字状に立設するようにし、熱交換ユニット７ａ、７ｃ毎の伝熱管のヘアピン部が３列以上の場合、中央部のヘアピン部７ａｄ、７ａｆ〜７７ａｉ、７ｃｄ、７ｃｅ、７ｃｇ、７ｃｈを各支持部により支持するようにした。  【選択図】  図５
2008082646.tif 000002
【特許請求の範囲】
【請求項１】
伝熱管とフィンを有する熱交換器の側面部をケーシングに固定するための熱交換器固定板であって、前記フィンから突出している前記伝熱管のヘアピン部の上側または下側を支持する支持部を備えたことを特徴とする熱交換器固定板。
【請求項２】
前記支持部は、前記ヘアピン部の上側または下側を支持するようにＵ字状に立設されたことを特徴とする請求項１記載の熱交換器固定板。
【請求項３】
前記ヘアピン部が３列以上の場合、中央部のヘアピン部を支持するようにしたことを特徴とする請求項１または請求項２記載の熱交換器固定板。
【請求項４】
請求項１乃至請求項３のいずれかに記載の熱交換器固定板を備えたことを特徴とする空気調和機。
【発明の詳細な説明】
【技術分野】
【０００１】
本発明は熱交換器固定板及びこれを備えた空気調和機に係り、詳細には、空気調和機の室内熱交換器等を支持するのに使用される熱交換器固定板について、熱交換器の側面部から突出している伝熱管のヘアピン部を支持させるときの組立性を向上できるようにしたものに関する。
【背景技術】
【０００２】
従来から、空気調和機の室内ユニットにおいて、室内熱交換器の側面部をケーシングに固定するとともに、吸込空気が室内熱交換器を通らずにファン室側に流れ込むのを防止するための熱交換器固定板が知られている。
【０００３】
この熱交換器固定板は、室内熱交換器の側面部から突出する伝熱管のヘアピン部を支持するための支持手段が形成されており、組立時にこの支持手段に伝熱管のヘアピン部を支持させて、室内熱交換器の位置決めを行なうようにしている（例えば、特許文献１参照。）。
【０００４】
具体的には、図７乃至図９に示すように、フィンと伝熱管を有する熱交換器２００の一方の側面部をケーシングに固定するための合成樹脂製の熱交換器固定板５０は、熱交換器２００の側面部に裏面側が対向する板状基部４００と、この板状基部４００に形成され、熱交換器２００の伝熱管のヘアピン部が１つまたは２つずつ挿入される挿入穴４１０〜５２０と、板状基部４００の表面側かつ挿入穴４１０〜４７０、５１０、５２０の外周部に立設された壁部６１０〜６７０、７１０、７２０と、板状基部４００の表面側かつ挿入穴４８０〜５００の外周部の一部に立設された壁部６８０〜７００とを備えている。
【０００５】
この熱交換器固定板５０に対して一方の側面部が固定される熱交換器２００は、熱交換部１１０、１２０、１３０で構成され、くの字形状に屈曲した第１前面熱交換器と、この第１前面熱交換器の前面側に配置され、熱交換部２１０、２２０、２３０で構成され、くの字形状に屈曲した第２前面熱交換器と、熱交換部１１０の上端に一端が接続され、他端が図示を省略するファン近傍に位置するように配置された背面熱交換器１４０とを有している。
【０００６】
第１前面熱交換器、第２前面熱交換器及び背面熱交換器１４０の側面部には、伝熱管のヘアピン部がフィンから突出している。第１前面熱交換器では、熱交換部１１０からは伝熱管のヘアピン部１１０ａ〜１１０ｆが突出し、熱交換部１２０からは伝熱管のヘアピン部１２０ａ、１２０ｂが突出し、熱交換部１３０からは伝熱管のヘアピン部１３０ａ〜１３０ｄが突出している。第２前面熱交換器では、熱交換部２１０からは伝熱管のヘアピン部２１０ａ〜２１０ｃが突出し、熱交換部２２０からは伝熱管のヘアピン部２２０ａが突出し、熱交換部２３０からは伝熱管のヘアピン部２３０ａ、２３０ｂが突出している。背面熱交換器１４０では、伝熱管のヘアピン部１４０ａ〜１４０ｆが突出している。
【０００７】
熱交換器固定板５０を使用して組立てる際は、熱交換器固定板５０の板状基部４００に形成された挿入穴４１０〜５２０に熱交換器２００の伝熱管のヘアピン部を挿入し、挿入穴４１０〜５２０の外周部の全部または一部に立設された壁部６１０〜７２０に沿ってヘアピン部を案内するとともに支持するようになっている。
【０００８】
個別に伝熱管のヘアピン部と挿入穴の関係を説明すると、熱交換部１１０では、伝熱管のヘアピン部１１０ａ、１１０ｄの２つを挿入穴４１に挿入し、伝熱管のヘアピン部１１０ｂ、１１０ｅの２つを挿入穴４２０に挿入し、伝熱管のヘアピン部１１０ｃ、１１０ｆの２つを挿入穴４３０に挿入するようになっている。熱交換部１２０では、伝熱管のヘアピン部１２０ａ、１２０ｂの２つを挿入穴４４０に挿入するようになっている。熱交換部１３０では、伝熱管のヘアピン部１３０ａ、１３０ｃの２つを挿入穴４５０に挿入し、伝熱管のヘアピン部１３０ｂの１つを挿入穴５１０に挿入するようになっている。
【０００９】
背面熱交換器１４０では、伝熱管のヘアピン部１４０ａ、１４０ｄの２つを挿入穴４６０に挿入し、伝熱管のヘアピン部１４０ｂ、１４０ｅの２つを挿入穴４７０に挿入し、伝熱管のヘアピン部１４０ｆの１つを挿入穴５２０に挿入するようになっている。熱交換部２１０では、伝熱管のヘアピン部２１０ａの１つを挿入穴４８０に挿入し、伝熱管のヘアピン部２１０ｂの１つを挿入穴４９０に挿入し、伝熱管のヘアピン部２１０ｃの１つを挿入穴５００に挿入するようになっている。
【００１０】
しかしながら、特許文献１の熱交換器固定板５０は、伝熱管のヘアピン部の１つまたは伝熱管のヘアピン部の２つをそれぞれの挿入穴４１０〜５２０に挿入し壁部６１０〜７２０に支持させる構造となっているため、組立の際に、各ヘアピン部を１つ１つの壁部６１０〜７２０に位置合わせするのが難しく、全部の壁部の位置合わせができたとしても作業性が悪いという問題点があった。
【００１１】
そこで、本出願人はこの問題点を解決するため、図１０に示すように、熱交換器６０の上端及び下端のヘアピン部のみを支持部に挿入支持し、それ以外のヘアピン部を支持部内に収容するに留めて支持しないような構造にすることで、支持部の構造を簡単にして組立時の位置合わせを容易にしたものを実施している。
【００１２】
具体的には、フィンと伝熱管を有する熱交換器６０の一方の側面部をケーシングに固定するための合成樹脂製の熱交換器固定板７０は、熱交換器６０の側面部に対向する板状基部７１と、この板状基部７１に形成され、熱交換器６０の伝熱管のヘアピン部が挿入される支持部７２〜７４とを備えている。
【００１３】
この熱交換器固定板７０に対して一方の側面部が支持される熱交換器６０は、３つの熱交換ユニット６１〜６３と、１つの補助熱交換ユニット６４で構成され、熱交換ユニット６１が第１前面熱交換部、熱交換ユニット６２が第２前面熱交換部、熱交換ユニット６３が背面熱交換部として配置され、補助熱交換ユニット６４は熱交換ユニット６１の前面側に配置されている。
【００１４】
熱交換器６０の熱交換ユニット６１〜６３と補助熱交換ユニット６４の側面部にはそれぞれ、伝熱管のヘアピン部がフィンから突出している。熱交換ユニット６１では、上端の伝熱管のヘアピン部６１ａ、６１ｂと下端の伝熱管のヘアピン部６１ｃ〜６１ｅのみが支持部７２に挿入されたときに、支持部７２の側壁に当接支持されるようになっている。熱交換ユニット６２では、上端の伝熱管のヘアピン部６２ａ、６２ｂと下端の伝熱管のヘアピン部６２ｃ〜６２ｅのみが支持部７３に挿入されたときに、支持部７３の側壁に当接支持されるようになっている。更に、熱交換ユニット６３では、上端の伝熱管のヘアピン部６３ａ〜６３ｃと下端の伝熱管のヘアピン部６３ｄ、６３ｅのみが支持部７４に挿入されたときに、支持部７４の側壁に当接支持されるようになっている。
【００１５】
そして、これらの上端及び下端の伝熱管のヘアピン部以外の中央部のヘアピン部については、支持部７２〜７４の内部にそれぞれ収容されるようになっている。
【００１６】
しかしながら、組立てられた熱交換器６０を運搬時に落下させてしまった場合、支持部７２〜７４の構造を簡単にすると、落下により端部のヘアピン部６１ａ〜６１ｅ、６２ａ〜６２ｅ、６３ａ〜６３ｅに衝撃を受けやすくなり、これらのヘアピン部が変形してしまうという問題点があった。これは特に直径が細い、すなわち、従来用いられていたΦ７ｍｍよりも細いΦ５ｍｍのヘアピン部に対して変形が大きいという問題点があった。
【特許文献１】特開２００３−０４２４７８号公報（第６頁−第８頁、図２、図４及び図１０）
【発明の開示】
【発明が解決しようとする課題】
【００１７】
本発明は上記問題点に鑑み、熱交換器の側面部から突出している伝熱管のヘアピン部を支持させるときの組立性を向上できるようにした熱交換器固定板及びこれを備えた空気調和機を提供することを目的とする。
【課題を解決するための手段】
【００１８】
本発明は上記課題を解決するため、請求項１記載の発明は、伝熱管とフィンを有する熱交換器の側面部をケーシングに固定するための熱交換器固定板であって、前記フィンから突出している前記伝熱管のヘアピン部の上側または下側を支持する支持部を備えたことを特徴とする構成となっている。
【００１９】
請求項２記載の発明は、請求項１記載の本発明において、前記支持部は、前記ヘアピン部の上側または下側を支持するようにＵ字状に立設されたことを特徴とする構成となっている。
【００２０】
請求項３記載の発明は、請求項１または請求項２記載の本発明において、前記ヘアピン部が３列以上の場合、中央部のヘアピン部を支持するようにしたことを特徴とする構成となっている。
【００２１】
請求項４記載の発明は、請求項１乃至請求項３のいずれかに記載の熱交換器固定板を備えたことを特徴とする空気調和機となっている。
【発明の効果】
【００２２】
請求項１記載の本発明によれば、前記熱交換器固定板において、前記フィンから突出している前記伝熱管のヘアピン部の上側または下側を支持する支持部を備えるようにした。このため、組立の際に、支持部によりヘアピン部の上側または下側のみを支持させる構造にしているので、１つまたは２つずつのヘアピン部をそれぞれ支持する壁部に対して位置合わせすることがなく、ヘアピン部を支持させるときの組立性を向上することができる。
【００２３】
請求項２記載の本発明によれば、前記支持部は、前記ヘアピン部の上側または下側を支持するＵ字状に立設するようにした。このため、各ヘアピン部をＵ字状の支持部により支持させる構造にしているので、組立てられた熱交換器を運搬時に落下させてしまった場合に、各ヘアピン部の支持により落下時の衝撃が分散されるため、端部のヘアピン部に衝撃を受けたとしても、ヘアピン部が変形してしまうことを防止できる。
【００２４】
請求項３記載の本発明によれば、前記ヘアピン部が３列以上の場合、中央部のヘアピン部を支持するようにした。このため、請求項１または請求項２記載の本発明と同様な効果を得ることができる。
【００２５】
請求項４記載の本発明によれば、請求項１乃至請求項３のいずれかに記載の本発明と同様な効果が得られる空気調和機を提供することができる。
【発明を実施するための最良の形態】
【００２６】
以下、本発明の実施の形態を、添付図面に基づいた実施例として詳細に説明する。図１は本発明による熱交換器固定板を備えた空気調和機を示す外観斜視図、図２は本発明による熱交換器固定板を備えた空気調和機を右斜め前方からみた内観斜視図、図３は図２の空気調和機の一部拡大斜視図、図４は本発明による熱交換器固定板を備えた空気調和機を左斜め前方からみた内観斜視図、図５は本発明による熱交換器固定板とこの熱交換器固定板により支持される熱交換器を示す図で（Ａ）は熱交換器固定板の斜視図、（Ｂ）は熱交換器の斜視図、図６は図５に示す熱交換器固定板の支持部と熱交換器の伝熱管のヘアピン部の支持関係を示す斜視図である。
【００２７】
本発明による熱交換器固定板は、伝熱管とフィンを有する熱交換器の側面部をケーシングに固定するための熱交換器固定板であって、フィンから突出している伝熱管のヘアピン部の上側または下側を支持する支持部を備えたことを特徴としている。以下の実施例１において、この熱交換器固定板を備えた空気調和機を挙げて説明する。
【実施例１】
【００２８】
以下、本発明の熱交換器固定板を備えた空気調和機の構成を図１乃至図４を用いて説明し、図５及び図６を用いて本発明の熱交換器固定板を具体的に説明する。最初に、空気調和機の構成は、図１乃至図４に示すように、この空気調和機の室内ユニットにおける本体キャビネット１は、図示を省略した壁面に据え付けられる背板に取付けられ、ケーシング２と、上面パネル３と、前面パネル４と、右側面パネル５と、左側面パネル６を備えている。本体キャビネット１の各部材は合成樹脂の成型品からなっている。本体キャビネット１の内部には図示を省略した送風ファンとしてのクロスフローファン、熱交換器７、電装品箱１０などが格納されている。
【００２９】
ケーシング２は、熱交換器７の両側から壁面側に張り出すように形成された左右一対の固定板８、９に固定され、かつ、背板に取付けられており、この左右一対の固定板８、９の間にクロスフローファン及び熱交換器７が支持されている。図２及び図４に示すように、熱交換器７は、ほぼΛ（ラムダ）型に組み合わせられた複数の熱交換ユニットからなり、クロスフローファンの上方を覆うように配置されている。
【００３０】
ケーシング２の上端側には、上面パネル３が取付けられている。上面パネル３は、その後端に突設されている図示を省略した係止爪を介してケーシング２に着脱自在に取り付けられ、先端側が熱交換器７を覆うように前面パネル４の先端までアーチ状に架け渡されている。更に、上面パネル３には、全面にわたって空気吸入口が設けられ桟状に成型されている。
【００３１】
ケーシング２の下端側には、前面パネル４が取付けられている。前面パネル４は、上端側が上面パネル３の下端側に係止され、後端側が図示を省略した係止爪を介してケーシング２に着脱可能に固定されている。
【００３２】
ケーシング２に固定される右側の固定板８には、この空気調和機の制御部や電源ユニットなどが収納された電装品箱１０が組み込まれており、この電装品箱１０を覆い隠すように右側面パネル５が取り付けられる。同様に、ケーシング２に固定される左側の固定板９には、左側面パネル６が取り付けられる。
【００３３】
ケーシング２の下面には、クロスフローファンからの空気を吹き出す空気吹出口が設けられ、空気吹出口には、吹出方向を制御する図示を省略した左右風向板や上下風向板１１などが設けられている。なお、上面パネル３の空気吸入口と熱交換器７の間には、図示を省略した熱交換器７に向かう空気中の塵埃を除去するフィルタが設けられている。
【００３４】
次に、図５及び図６を用いて、これまで説明してきた空気調和機の室内ユニットに備えているベース２に固定される左側の固定板９について説明する。以下、この左側の固定板９は、伝熱管とフィンを有する熱交換器７の側面部を支持し、かつ、ケーシング２に固定するものであり、熱交換器固定板と称して説明する。
【００３５】
熱交換器固定板９は、図５（Ａ）及び図６に示すように、合成樹脂の成型品からなっており、熱交換器７の側面部に対向する板状基部９ａと、この板状基部９ａに一体的に形成され、ケーシング２に固定する固定部９ｂと、この板状基部７１に形成され、熱交換器７の伝熱管のヘアピン部が挿入され支持するための略五角形の第１前側ホルダ９ｃ、第２前側ホルダ９ｄ及び後側ホルダ９ｅ、四角形の第３前側ホルダ９ｆとを備えている。
【００３６】
この熱交換器固定板９に対して支持される熱交換器７は、図５（Ｂ）及び図６に示すように、３つの熱交換ユニット７ａ、７ｂ、７ｃと、１つの補助熱交換ユニット７ｄで構成され、熱交換ユニット７ａが第１前面熱交換部、熱交換ユニット７ｂが第２前面熱交換部、熱交換ユニット７ｃが背面熱交換部として配置され、補助熱交換ユニット７ｄは熱交換ユニット７ａの前面側に配置されている。
【００３７】
熱交換器固定板９の第１前側ホルダ９ｃ、第２前側ホルダ９ｄ及び後側ホルダ９ｅはそれぞれ、凹部を形成するように板状基部９ａから垂直に立設された周囲の側壁と、この側壁に連なるように形成され、または、この側壁の内側に板状基部９ａから垂直に立設されたＵ字状の複数の支持部を備えている。
【００３８】
このように構成された第１前側ホルダ９ｃ、第２前側ホルダ９ｄ及び後側ホルダ９ｅはそれぞれ、熱交換ユニット７ａ、熱交換ユニット７ｂ及び熱交換ユニット７ｃのそれぞれの側面部から突出している伝熱管のヘアピン部に対応するようになっている。なお、第３前側ホルダ９ｆは凹部を形成するように板状基部９ａから垂直に立設された周囲の側壁を備え、補助熱交換ユニット７ｄの側面部から突出している伝熱管のヘアピン部に対応するようになっている。
【００３９】
次に、熱交換器７の熱交換ユニット７ａ〜７ｃと補助熱交換ユニット７ｄの側面部にそれぞれ突出している複数の伝熱管のヘアピン部と、熱交換器固定板９の第１前側ホルダ９ｃ、第２前側ホルダ９ｄ及び後側ホルダ９ｅの複数の支持部の関係について説明する。
【００４０】
熱交換ユニット７ａの側面部には４列３段からなる複数の伝熱管のヘアピン部７ａａ〜７ａｌがフィンから突出し、熱交換ユニット７ｂ側面部には２列３段からなる複数の伝熱管のヘアピン部７ｂａ〜７ｂｆがフィンから突出し、熱交換ユニット７ｃ側面部には４列３段からなる複数の伝熱管のヘアピン部７ｃａ〜７ｃｌがフィンから突出している。補助熱交換ユニット７ｄ側面部には１列２段からなる２つの伝熱管のヘアピン部７ｄａ、７ｄｂがフィンから突出している。
【００４１】
一方、第１前側ホルダ９ｃには複数の支持部９ｃａ〜９ｃｌを有し、第２前側ホルダ９ｄには複数の支持部９ｄａ〜９ｄｆを有し、後側ホルダ９ｅには複数の支持部９ｅｂ〜９ｅｋを有している。
【００４２】
そして、熱交換ユニット７ａの伝熱管のヘアピン部７ａａ〜７ａｌが第１前側ホルダ９ｃに挿入されたときに、第１前側ホルダ９ｃの支持部９ｃａ〜９ｃｌの壁に当接し支持されるようになっている。すななち、ヘアピン部７ａａが支持部９ｃａ、ヘアピン部７ａｂが支持部９ｃｂ、ヘアピン部７ａｃが支持部９ｃｃ、ヘアピン部７ａｄが支持部９ｃｄ、ヘアピン部７ａｆが支持部９ｃｆ、ヘアピン部７ａｇが支持部９ｃｇ、ヘアピン部７ａｈが支持部９ｃｈ、ヘアピン部７ａｉが支持部９ｃｉ、ヘアピン部７ａｊが支持部９ｃｊ、ヘアピン部７ａｋが支持部９ｃｋ、ヘアピン部７ａｌが支持部９ｃｌにより支持されるようになっている。
【００４３】
また、熱交換ユニット７ｂの伝熱管のヘアピン部７ｂａ〜７ｂｆが第２前側ホルダ９ｄに挿入されたときに、第２前側ホルダ９ｄの支持部９ｄａ〜９ｄｆの壁に当接し支持されるようになっている。すななち、ヘアピン部７ｂａが支持部９ｄａ、ヘアピン部７ｂｂが支持部９ｄｂ、ヘアピン部７ｂｃが支持部９ｄｃ、ヘアピン部７ｂｄが支持部９ｄｄ、ヘアピン部７ｂｅが支持部９ｄｅ、ヘアピン部７ｂｆが支持部９ｄｆにより支持されるようになっている。
【００４４】
更に、熱交換ユニット７ｃの伝熱管のヘアピン部７ｃａ〜７ｃｌが後側ホルダ９ｅに挿入されたときに、後側ホルダ９ｅの支持部９ｅｂ〜９ｅｋの壁に当接し支持されるようになっている。すななち、ヘアピン部７ｃｂが支持部９ｅｂ、ヘアピン部７ｃｃが支持部９ｅｃ、ヘアピン部７ｃｄが支持部９ｅｄ、ヘアピン部７ｃｅが支持部９ｅｅ、ヘアピン部７ｃｇが支持部９ｅｇ、ヘアピン部７ｃｈが支持部９ｅｈ、ヘアピン部７ｃｋが支持部９ｅｋにより支持されるようになっている。なお、補助熱交換ユニット７ｄの２つの伝熱管のヘアピン部７ｄａ、７ｄｂが第３前側ホルダ９ｆに挿入されたときに、第３前側ホルダ９ｆの側壁に当接支持されるようになっている。
【００４５】
複数の伝熱管のヘアピン部は、図６に示すように、例えば、円内のヘアピン部７ａａ〜７ａｃ、７ｃｂ、７ｃｃは、各ヘアピン部の上側をＵ字状に立設された支持部９ａａ〜９ａｃ、９ｅｂ、９ｅｃにより支持し、各ヘアピン部の上側以外は開放するようにしている。また、円内のヘアピン部７ａｊ〜７ａｌ、７ｂｄ〜７ｂｆ、７ｃｋは、各ヘアピン部の下側をＵ字状に立設された支持部９ｃｊ〜９ｃｌ、９ｄｄ〜９ｄｆ、９ｅｋにより支持し、各ヘアピン部の下側以外は開放するようにしている。
【００４６】
このように本発明によれば、伝熱管とフィンを有する熱交換器７の側面部をケーシング２に固定するための熱交換器固定板９に、フィンから突出している伝熱管のヘアピン部７ａａ〜７ｃｌの上側または下側を支持する支持部９ｃａ〜９ｅｋを備えるようにした。
【００４７】
このため、組立の際に、支持部によりヘアピン部の上側または下側のみを支持させる構造にしているので、従来のような１つまたは２つずつのヘアピン部の全周や両側をそれぞれ支持する壁部に対して位置合わせすることがなくなり、位置合わせが容易となってヘアピン部を支持させるときの組立性を向上することができる。また、従来のような１つまたは２つずつのヘアピン部に対応する挿入穴を形成し、ヘアピン部の全周や両側をそれぞれ支持する壁部を形成する構造に比べ、簡単な構造にすることができ、材料費を安価に抑えることができる。
【００４８】
更に、熱交換ユニット７ａ及び熱交換ユニット７ｃの複数の伝熱管のヘアピン部は、それぞれ４列からなっているため、２列目、３列目の複数の伝熱管のヘアピン部７ａｄ、７ａｆ〜７７ａｉ、７ｃｄ、７ｃｅ、７ｃｇ、７ｃｈも各支持部により支持している。このように本発明によれば、熱交換ユニット７ａ〜７ｃ毎に伝熱管のヘアピン部が３列以上の場合、中央部のヘアピン部７ａｄ、７ａｆ〜７７ａｉ、７ｃｄ、７ｃｅ、７ｃｇ、７ｃｈを各支持部により支持するようにした。更に、各支持部９ｃａ〜９ｅｋは伝熱管のヘアピン部７ａａ〜７ｃｌの上側または下側を支持するようにＵ字状に立設するようにした。
【００４９】
このため、各ヘアピン部をＵ字状の支持部により支持させる構造にしているので、組立てられた熱交換器を運搬時に落下させてしまった場合に、各ヘアピン部の支持により落下時の衝撃が分散されるため、端部のヘアピン部に衝撃を受けたとしても、ヘアピン部が変形してしまうことを防止できる。これは例えば、従来から用いられている直径が太いΦ７ｍｍの伝熱管のヘアピン部に対しても、直径が細いΦ５ｍｍの伝熱管のヘアピン部に対しても変形を防止でき有効である。
【図面の簡単な説明】
【００５０】
【図１】本発明による熱交換器固定板を備えた空気調和機を示す外観斜視図である。
【図２】本発明による熱交換器固定板を備えた空気調和機を右斜め前方からみた内観斜視図である。
【図３】図２の空気調和機の一部拡大斜視図である。
【図４】本発明による熱交換器固定板を備えた空気調和機を左斜め前方からみた内観斜視図である。
【図５】本発明による熱交換器固定板と熱交換器を示す図で（Ａ）は熱交換器固定板の斜視図、（Ｂ）は熱交換器の斜視図である。
【図６】図５に示す熱交換器固定板の支持部と熱交換器の伝熱管のヘアピン部の関係を示す斜視図である。
【図７】従来の空気調和機の熱交換器の斜視図である。
【図８】従来の空気調和機の熱交換器をケーシングに固定する熱交換器固定板の平面図である。
【図９】従来の熱交換器固定板により熱交換器が取り付けられた状態を示す図である。
【図１０】従来の他の実施例の熱交換器固定板と熱交換器の関係を示す斜視図である。
【符号の説明】
【００５１】
１  本体キャビネット
２  ケーシング
３  上面パネル
４  前面パネル
５  右側面パネル
６  左側面パネル
７  熱交換器
７ａ  熱交換ユニット
７ａａ〜７ａｌ  ヘアピン部
７ｂ  熱交換ユニット
７ｂａ〜７ｂｆ  ヘアピン部
７ｃ  熱交換ユニット
７ｃａ〜７ｃｌ  ヘアピン部
７ｄ  補助熱交換ユニット
７ｄａ、７ｄｂ  ヘアピン部
７ａｃ〜７ｄｂ  ヘアピン部
８  固定板
９  熱交換器固定板（固定板）
９ａ  板状基部
９ｂ  固定部
９ｃ  第１前側ホルダ
９ｃａ〜９ｃｌ  支持部
９ｄ  第２前側ホルダ
９ｄａ〜９ｄｆ  支持部
９ｅ  後側ホルダ
９ｅｂ〜９ｅｋ  支持部
９ｆ  第３前側ホルダ
１０  電装品箱
１１  上下風向板
【図１】
2008082646.tif 000003
【図２】
2008082646.tif 000004
【図３】
2008082646.tif 000005
【図４】
2008082646.tif 000006
【図５】
2008082646.tif 000007
【図６】
2008082646.tif 000008
【図７】
2008082646.tif 000009
【図８】
2008082646.tif 000010
【図９】
2008082646.tif 000011
【図１０】
2008082646.tif 000012